(57)【要約】【課題】施工性の向上を図ることができ、遮音性能にも優れた間仕切り壁を提供する。【解決手段】この間仕切り壁は、複数の下地ユニット１Ａ、１Ｂを壁面方向に沿って並設して壁下地２を構成し、この壁下地２の表裏面に複数の壁面材３を横並びに張り付けてなる。下地ユニット１Ａ、１Ｂは、表裏一対の下地枠１０と、これら下地枠１０間の隙間に介在した吸音材１１とを備えている。下地ユニット１Ａ、１Ｂの側端部分では、一方の下地枠１０のスタッド１３のみを単独で配置するとともに、側端部分を除く部分では、双方の下地枠１０のスタッド１３同士を壁厚方向に対向配置してある。下地ユニット１Ａ、１Ｂの並設に際して、互いに隣接する下地ユニット１Ａ、１Ｂの単独スタッド１３同士を壁厚方向に対向配置する。【選択図】図１
2014037673.tif 000002
【特許請求の範囲】
【請求項１】
複数の下地ユニット（１Ａ）（１Ｂ）を壁面方向に沿って並設して壁下地（２）を構成し、この壁下地（２）の表裏面に複数の壁面材（３）を横並びに張り付けてなる間仕切り壁であって、前記下地ユニット（１Ａ）（１Ｂ）は、壁厚方向に隙間をあけて連結した表裏一対の下地枠（１０）と、これら下地枠（１０）間の隙間に介在した吸音材（１１）とを備え、前記下地枠（１０）は、上下一対のランナー（１２）と、これらランナー（１２）間に差し渡した複数のスタッド（１３）とを組み付けてなり、前記下地ユニット（１Ａ）（１Ｂ）における他の下地ユニット（１Ａ）（１Ｂ）に隣接する側端部分では、表面側又は裏面側のいずれか一方の下地枠（１０）のスタッド（１３）のみを単独で配置するとともに、前記下地ユニット（１Ａ）（１Ｂ）における前記側端部分を除く部分では、表面側と裏面側の下地枠（１０）のスタッド（１３）同士を壁厚方向に対向配置して、互いに隣接する下地ユニット（１Ａ）（１Ｂ）の前記側端部分のスタッド（１３）同士を壁厚方向に対向配置したことを特徴とする間仕切り壁。
【請求項２】
前記壁下地（２）の表面側に横並びに張り付けた壁面材（３）の境界部分（３０）を、前記壁下地（２）の表面側に位置するスタッド（１３）によって裏支えするとともに、前記壁下地（２）の裏面側に横並びに張り付けた壁面材（３）の境界部分（３１）を、前記壁下地（２）の裏面側に位置するスタッド（１３）によって裏支えして、これら表面側と裏面側の境界部分（３０）（３１）を、前記壁下地（２）を挟んで相対する位置に揃えた請求項１記載の間仕切り壁。
【請求項３】
互いに隣接する下地ユニット（１Ａ）（１Ｂ）の前記側端部分のスタッド（１３）間に、互いに隣接する下地ユニット（１Ａ）（１Ｂ）のいずれか一方又は両方の吸音材（１１）の側端部を挟み込むようにした請求項１又は２記載の間仕切り壁。
【請求項４】
前記表裏一対の下地枠（１０）を、繋ぎ具（１４）を介して連結するとともに、前記下地枠（１０）と繋ぎ具（１４）との接触部分に、制振材（１９）を介在させた請求項１乃至３のいずれかに記載の間仕切り壁。
【請求項５】
前記下地ユニット（１Ａ）（１Ｂ）は、一方の側端部分が柱や壁に接続され、他方の側端部分が他の下地ユニット（１Ａ）（１Ｂ）に隣接する端部用の下地ユニット（１Ａ）と、両方の側端部分が他の下地ユニット（１Ａ）（１Ｂ）に隣接する中間部用の下地ユニット（１Ｂ）とを備えた請求項１乃至４のいずれかに記載の間仕切り壁。
【発明の詳細な説明】
【技術分野】
【０００１】
この発明は、主として住宅の屋内空間を仕切るための間仕切り壁に関する。
【背景技術】
【０００２】
住宅の屋内空間を仕切るための間仕切り壁として、図１３示すように、複数の下地ユニット５０を壁面方向に沿って並設して壁下地５１を構成し、この壁下地５１の表裏面に壁面材５２を張り付けたものが提案されている（特許文献１参照）。
【０００３】
具体的に、下地ユニット５０は、上下一対の横材５３と、これら横材５３間に差し渡した複数の柱材５４とを組み付けてなり、下地ユニット５０を並設してなる壁下地５１において、柱や壁に接続される両端部に位置する柱材５４を除いて、柱材５４が千鳥配置（表面側の壁面材５２のみが当接する柱材５４と裏面側の壁面材５２のみが当接する柱材５４とが壁面方向に交互に配置）されている。
【０００４】
このような間仕切り壁においては、下地ユニット５０を並設するだけで壁下地５１が構成されることから、現場での面倒な横材、柱材の組み付け作業をなくして、施工の簡略化を図ることができ、しかも柱材５４を千鳥配置していることから、表面側の壁面材５２と裏面側の壁面材５２との間での柱材５４を介しての振動の伝播が規制されて、遮音性能を高めることができる。
【先行技術文献】
【特許文献】
【０００５】
【特許文献１】特許第４１４２５４２号公報
【発明の概要】
【発明が解決しようとする課題】
【０００６】
一般に、幅広の間仕切り壁では、壁下地の表裏面に複数の壁面材を横並びに張り付けて、隣接する壁面材の境界部分を柱材によって裏支え（隣接する壁面材の側端部を同じ柱材に固定）していることが多い。この場合、表面側の境界部分と裏面側の境界部分とが壁下地を挟んで相対する位置（表裏同一位置）にあると、表面側と裏面側とで壁面材を同様に張り付けることができる。
【０００７】
しかしながら、上記のような柱材を千鳥配置した間仕切り壁においては、壁下地の表裏面に複数の壁面材を横並びに張り付けて、隣接する壁面材の境界部分を柱材によって裏支えする場合、表面側と裏面側とで柱材の位置が異なっていて、表面側の境界部分と裏面側の境界部分が壁下地を挟んで位置ずれした状態となることから、表面側と裏面側とで壁面材の張付状態が異なることになって、壁面材の加工や固定に手間がかかり、施工性が悪くなることがあった。
【０００８】
また、間仕切り壁の内部に吸音材を充填して、遮音性能を高めることは一般的に行われており、上記のような複数の下地ユニットを並設して壁下地を構成する間仕切り壁においては、下地ユニットに吸音材を予め取り付けておけば、現場での面倒な吸音材の充填作業をなくして、施工の簡略化を図ることができる。
【０００９】
しかしながら、吸音材を取り付けた下地ユニットを並設した場合、隣接する下地ユニットの境界部分において、吸音材がしっかりと充填されずに途切れてしまうことがあり、遮音性能を十分に高めることができないことがあった。
【００１０】
この発明は、上記の不具合を解消して、施工性の向上を図ることができ、遮音性能にも優れた間仕切り壁の提供を目的とする。
【課題を解決するための手段】
【００１１】
上記課題を解決するため、この発明の間仕切り壁は、複数の下地ユニット１Ａ、１Ｂを壁面方向に沿って並設して壁下地２を構成し、この壁下地２の表裏面に複数の壁面材３を横並びに張り付けてなるものであって、前記下地ユニット１Ａ、１Ｂは、壁厚方向に隙間をあけて連結した表裏一対の下地枠１０と、これら下地枠１０間の隙間に介在した吸音材１１とを備え、前記下地枠１０は、上下一対のランナー１２と、これらランナー１２間に差し渡した複数のスタッド１３とを組み付けてなり、前記下地ユニット１Ａ、１Ｂにおける他の下地ユニット１Ａ、１Ｂに隣接する側端部分では、表面側又は裏面側のいずれか一方の下地枠１０のスタッド１３のみを単独で配置するとともに、前記下地ユニット１Ａ、１Ｂにおける前記側端部分を除く部分では、表面側と裏面側の下地枠１０のスタッド１３同士を壁厚方向に対向配置して、互いに隣接する下地ユニット１Ａ、１Ｂの前記側端部分のスタッド１３同士（単独スタッド１３同士）を壁厚方向に対向配置したことを特徴とする。
【００１２】
具体的には、前記壁下地２の表面側に横並びに張り付けた壁面材３の境界部分３０を、前記壁下地２の表面側に位置するスタッド１３によって裏支えするとともに、前記壁下地２の裏面側に横並びに張り付けた壁面材３の境界部分３１を、前記壁下地２の裏面側に位置するスタッド１３によって裏支えして、これら表面側と裏面側の境界部分３０、３１を、前記壁下地２を挟んで相対する位置（表裏同一位置）に揃えている。
【００１３】
また、互いに隣接する下地ユニット１Ａ、１Ｂの前記側端部分のスタッド１３間（対向配置された単独スタッド１３間）に、互いに隣接する下地ユニット１Ａ、１Ｂのいずれか一方又は両方の吸音材１１の側端部を挟み込むようにしている。
【００１４】
さらに、前記表裏一対の下地枠１０を、繋ぎ具１４を介して連結するとともに、前記下地枠１０と繋ぎ具１４との接触部分に、制振材１９を介在させている。
【００１５】
さらにまた、前記下地ユニット１Ａ、１Ｂは、一方の側端部分が柱や壁に接続され、他方の側端部分が他の下地ユニット１Ａ、１Ｂに隣接する端部用の下地ユニット１Ａと、両方の側端部分が他の下地ユニット１Ａ、１Ｂに隣接する中間部用の下地ユニット１Ｂとを備えている。
【発明の効果】
【００１６】
この発明の間仕切り壁においては、複数の下地ユニットを並設して壁下地を構成していることから、現場でのランナー、スタッドの組み付け作業、吸音材の充填作業をなくすことができる。しかも、壁下地全体に亘って、表面側に位置するスタッドと裏面側に位置するスタッドが壁厚方向に対向配置された状態となっていることから、壁下地の表面側に張り付けた壁面材の境界部分を表面側のスタッドによって裏支えするとともに、壁下地の裏面側に張り付けた壁面材の境界部分を裏面側のスタッドによって裏支えしながらも、表面側の境界部分と裏面側の境界部分とを壁下地を挟んで相対する位置（表裏同一位置）に揃えて、表面側と裏面側とで壁面材の張付状態を同じにすることができ、壁面材の張付作業も簡単に済ますことができる。これによって、施工性の向上を図ることができる。
【００１７】
さらに、下地ユニットにおいて、表裏一対の下地枠が壁厚方向に隙間をあけて連結されるとともに、これら下地枠間の隙間に吸音材が介在されていることから、表面側の壁面材と裏面側の壁面材との間での下地ユニットを介しての振動の伝播が規制されて、遮音性能を高めることができる。また、互いに隣接する下地ユニットの側端部分のスタッド間（対向配置された単独スタッド間）に、吸音材の側端部を挟み込むことで、隣接する下地ユニットの境界部分においても吸音材が途切れることなくしっかりと充填された状態となり、遮音性能を十分に高めることができる。さらにまた、表裏一対の下地枠とこれらを連結する繋ぎ具との接触部分に、制振材を介在させることで、遮音性能をより一層高めることができる。
【図面の簡単な説明】
【００１８】
【図１】この発明の一実施形態に係る間仕切り壁の横断面図である。
【図２】端部用の下地ユニットの分解斜視図である。
【図３】端部用の下地ユニットの斜視図である。
【図４】端部用の下地ユニットの横断面図である。
【図５】中間部用の下地ユニットの分解斜視図である。
【図６】中間部用の下地ユニットの斜視図である。
【図７】中間部用の下地ユニットの横断面図である。
【図８】下地ユニットの建込状態を示す斜視図である。
【図９】下地ユニットの建込状態を示す斜視図である。
【図１０】壁下地の横断面図である。
【図１１】隣接する下地ユニットの境界部分を示す横断面図である。
【図１２】壁面材の張付状態を示す横断面図である。
【図１３】従来の間仕切り壁の横断面図である。
【発明を実施するための形態】
【００１９】
以下、この発明の実施形態を図面に基づいて詳細に説明する。この発明の一実施形態に係る間仕切り壁は、図１に示すように、複数の下地ユニット１Ａ、１Ｂを壁面方向に沿って並設して壁下地２を構成し、この壁下地２の表裏面に複数の壁面材３を横並びに張り付けた構造となっている。
【００２０】
下地ユニット１Ａ、１Ｂは、工場等において予め組み立てられた端部用の下地ユニット１Ａ、中間部用の下地ユニット１Ｂを備えている。端部用の下地ユニット１Ａは、一方の側端部分が柱や壁に接続され、他方の側端部分が他の下地ユニット（端部用の下地ユニット１Ａや中間部用の下地ユニット１Ｂ）に隣接するように設置されるもので、中間部用の下地ユニット１Ｂは、両方の側端部分が他の下地ユニット（端部用の下地ユニット１Ａや中間部用の下地ユニット１Ｂ）に隣接するように設置されるものである。
【００２１】
なお、図１においては、２個の端部用の下地ユニット１Ａ間に１個の中間部用の下地ユニット１Ｂを配置した状態を一例として示しているが、端部用の下地ユニット１Ａ間に２個以上の中間部用の下地ユニット１Ｂを配置したり、端部用の下地ユニット１Ａ同士を中間部用の下地ユニット１Ｂを介さずに隣接させるようにしても良い。
【００２２】
端部用の下地ユニット１Ａは、図２乃至図４に示すように、壁厚方向に隙間をあけて連結した表裏一対の下地枠１０と、これら下地枠１０間の隙間に介在した吸音材１１とを備えている。
【００２３】
一方の下地枠１０は、横材としての上下一対のランナー１２と、これらランナー１２の両端部間及び中央部間に差し渡した柱材としての３本のスタッド１３とを備えている。他方の下地枠１０は、横材としての上下一対のランナー１２と、これらランナー１２の一方の端部間及び中央部間に差し渡した柱材としての２本のスタッド１３とを備えている。
【００２４】
これら下地枠１０において、上側のランナー１２は、例えば下向きに開放した溝状の鋼材からなり、下側のランナー１２は、例えば上向きに開放した溝状の鋼材からなり、スタッド１３は、例えばロ字状の鋼材からなり、スタッド１３の上下端部が上下のランナー１２の溝部に嵌め込まれた状態で、これらランナー１２及びスタッド１３が一体的に組み付けられている。
【００２５】
そして、これら下地枠１０は、複数の繋ぎ具１４を介して連結されている。繋ぎ具１４は、長方形状の基片１５と、この基片１５の長手方向に沿った両端部中央から立ち上がった一対の立ち上がり片１６とを備えている。基片１５には、波形状の補強部１７が長手方向に沿って形成され、複数のビス挿通孔１８が形成され、さらにゴムやスポンジ等からなる制振材１９が取り付けられている。
【００２６】
繋ぎ具１４を使用した下地枠１０の連結に際しては、図３に示すように、立ち上がり片１６を下地枠１０のランナー１２間にスペーサーとして差し入れるようにして、基片１５をランナー１２間に跨って被せた状態で、基片１５のビス挿通孔１８に挿通させたビス２０をランナー１２にねじ込むようにしている。なお、ビス２０の代わりにリベットを使用して、繋ぎ具１４をランナー１２に止め付けるようにしても良い。この連結状態において、下地枠１０と繋ぎ具１４との接触部分すなわちランナー１２と基片１５との間に制振材１９が介在することで、下地枠１０間での繋ぎ具１４を介しての振動の伝播が抑制されるようになっている。
【００２７】
吸音材１１は、例えばグラスウールをマット状に成形したものであって、その上下端部は圧縮されて帯板状に形成されている。この吸音材１１は、表裏一対の下地枠１０によって挟持されて、その要所要所が接着テープや固定具によって下地枠１０に固定されている。
【００２８】
上記の端部用の下地ユニット１Ａにおいては、図４に示すように、他の下地ユニット（端部用の下地ユニット１Ａや中間部用の下地ユニット１Ｂ）に隣接する他方の側端部分では、一方の下地枠１０のスタッド１３のみが単独で配置されていて、他方の下地枠１０のスタッド１３は存在せず、他方の側端部分を除く部分すなわち一方の側端部分及び中央部分では、双方の下地枠１０のスタッド１３同士が壁厚方向に対向配置された状態となっている。また、吸音材１１は、その上下端部がランナー１２間に配され、一方の側端部がスタッド１３間に配され、他方の側端部が単独で配置されたスタッド１３の近傍に配されている。
【００２９】
中間部用の下地ユニット１Ｂは、端部用の下地ユニット１Ａと同様に、図５乃至図７に示すように、壁厚方向に隙間をあけて連結した表裏一対の下地枠１０と、これら下地枠１０間の隙間に介在した吸音材１１とを備えている。
【００３０】
双方の下地枠１０は、壁面方向の向きが反転しているだけで同構造となっていて、横材としての上下一対のランナー１２と、これらランナー１２の一方の端部間及び中央部間に差し渡した柱材としての２本のスタッド１３とを備えている。そして、これら下地枠１０は、複数の繋ぎ具１４を介して連結されている。
【００３１】
上記の中間部用の下地ユニット１Ｂにおいては、図７に示すように、他の下地ユニット（端部用の下地ユニット１Ａや中間部用の下地ユニット１Ｂ）に隣接する両方の側端部分では、一方の下地枠１０のスタッド１３のみが単独で配置されていて、他方の下地枠１０のスタッド１３は存在せず、両方の側端部分を除く部分すなわち中央部分では、双方の下地枠１０のスタッド１３同士が壁厚方向に対向配置された状態となっている。また、吸音材１１は、その上下端部がランナー１２間に配され、両方の側端部が単独で配置されたスタッド１３の内側面に覆い被さるようにして配されている。なお、中間部用の下地ユニット１Ｂのその他の構成は、端部用の下地ユニット１Ａと同様になっている。
【００３２】
端部用の下地ユニット１Ａ、中間部用の下地ユニット１Ｂの並設に際しては、図８及び図９に示すように、天井側の梁２１に取り付けた複数の上側取付具２２と、床側の間仕切り基礎２３に取り付けた複数の下側取付具２４とに跨って、下地ユニット１Ａ、１Ｂを順次建て込むようにしている。なお、上側取付具２２及び下側取付具２４は、折曲可能な挟持片２５、２６をそれぞれ有しており、上側取付具２２と下側取付具２４との間に下地ユニット１Ａ、１Ｂを側方から差し入れた後、挟持片２５、２６を折り曲げてビス２７止めすることで、下地ユニット１Ａ、１Ｂの上端部が上側取付具２２に、下地ユニット１Ａ、１Ｂの下端部が下側取付具２４にそれぞれ固定されている。
【００３３】
このようにして端部用の下地ユニット１Ａ、中間部用の下地ユニット１Ｂを並設してなる壁下地２においては、図１０に示すように、互いに隣接する下地ユニット１Ａ、１Ｂの側端部分に単独で配置されたスタッド１３同士が壁厚方向に対向配置され、これにより壁下地２の全体に亘って、表面側に位置するスタッド１３と裏面側に位置するスタッド１３とが壁厚方向に対向配置された状態となっている。また、図１１に示すように、中間部用の下地ユニット１Ｂにおける吸音材１１の側端部が、上記の対向配置された単独スタッド１３間に圧潰状態で挟み込まれて、これにより隣接する下地ユニット１Ａ、１Ｂの境界部分においても吸音材１１が途切れることなく連続した状態となっている。
【００３４】
壁面材３は、例えば石膏ボードからなり、図１２に示すように、その両方の側端部及び中央部を壁下地２のスタッド１３に適宜ビス止めすることで、壁下地２に張り付けられている。そして、壁下地２の表面側に横並びに張り付けた壁面材３の境界部分３０は、壁下地２の表面側に位置するスタッド１３によって裏支えされ、壁下地２の裏面側に横並びに張り付けた壁面材３の境界部分３１は、壁下地２の裏面側に位置するスタッド１３によって裏支えされている。表面側に位置するスタッド１３と裏面側に位置するスタッド１３は、上述したように壁厚方向に対向配置されていることから、表面側の境界部分３０と裏面側の境界部分３１とは、壁下地２を挟んで相対する位置すなわち表裏同一位置に揃えられている。これにより、図１に示すように、壁下地２の表面側と裏面側とで壁面材３の張付状態が同じになっている。
【００３５】
上記のようにして構成された間仕切り壁においては、端部用の下地ユニット１Ａ、中間部用の下地ユニット１Ｂを適宜並設するだけで壁下地２が構成されることから、現場でのランナー、スタッドの組み付け作業、吸音材の充填作業をなくすことができる。しかも、壁面材３の境界部分３０、３１をスタッド１３によってしっかりと裏支えしながらも、表面側の境界部分３０と裏面側の境界部分３１とを壁下地２を挟んで表裏同一位置に揃えて、表面側と裏面側とで壁面材３の張付状態を同じにすることができ、壁面材３の張付作業も簡単に済ますことができる。これによって、施工性の向上を図ることができる。
【００３６】
また、下地ユニット１Ａ、１Ｂにおいて、表裏一対の下地枠１０が壁厚方向に隙間をあけて連結されるとともに、これら隙間に吸音材１１が介在され、しかも下地枠１０とこれらを連結する繋ぎ具１４との接触部分に制振材１９が介在されていることから、表面側の壁面材３と裏面側の壁面材３との間での下地ユニット１Ａ、１Ｂ（壁下地２）を介しての振動の伝播が規制されて、遮音性能を高めることができる。さらに、互いに隣接する下地ユニット１Ａ、１Ｂの側端部分のスタッド１３間に、中間部用の下地ユニット１Ｂにおける吸音材１１の側端部が挟み込まれていて、隣接する下地ユニット１Ａ、１Ｂの境界部分においても吸音材１１が途切れることなくしっかりと充填されていることから、遮音性能を十分に高めることができる。
【００３７】
以上に、この発明の実施形態について説明したが、この発明は、上記実施形態に限定されるものではなく、この発明の範囲内で種々変更して実施することが可能である。
【符号の説明】
【００３８】
１Ａ・・端部用の下地ユニット、１Ｂ・・中間部用の下地ユニット、２・・壁下地、３・・壁面材、１０・・下地枠、１１・・吸音材、１２・・ランナー、１３・・スタッド、１４・・繋ぎ具、１９・・制振材、３０・・表面側の壁面材の境界部分、３１・・裏面側の壁面材の境界部分
【図１】
2014037673.tif 000003
【図２】
2014037673.tif 000004
【図３】
2014037673.tif 000005
【図４】
2014037673.tif 000006
【図５】
2014037673.tif 000007
【図６】
2014037673.tif 000008
【図７】
2014037673.tif 000009
【図８】
2014037673.tif 000010
【図９】
2014037673.tif 000011
【図１０】
2014037673.tif 000012
【図１１】
2014037673.tif 000013
【図１２】
2014037673.tif 000014
【図１３】
2014037673.tif 000015